(57)【要約】【課題】繰り返し再開封・密封して収納物を取り出し口部から取り出すことの出来る収納物包装体を消費者が購入する前に取り出し口の蓋材が開封され、再密封されたものかが容易に識別でき、且つ使用時に確実に再開封・密封できる改ざん防止再開封包装体を提供する。【解決手段】ガスバリヤー性を有する収納包装体の取り出し口部上面周縁にコールドシール剤層が形成され、取り出し口部を覆う蓋材が少なくても基材層とガスバリヤー層を有し、基材層の表側面と裏側面が重なり合う印刷層が形成され、裏側面に形成されている印刷層が接着ニスにより収納包装体の取り出し口部上面周縁に、蓋材を剥がすことにより転移することで剥がしたことが蓋材表面で識別ができ、且つ蓋材が再開封・密封できる収納物包装体である。【選択図】図１
2004175396.tif 000002
【特許請求の範囲】
【請求項１】
ガスバリヤー性を有する収納包装体本体の上部に開けた開口部の開口部周縁に自己接着性の感圧接着層が施され、開口部上にはそれを覆う蓋材が該感圧接着層で固着されている改ざん防止機能を有する再封性包装体であって、該蓋材は基材の一方の面には第一接着層と剥離層と第一印刷層と該開口部周縁の感圧接着層と接着する第二接着層とが少なくても積層されており、他方の面には該第一印刷層と対向する位置に第二印刷層とが少なくとも設けてあると共に、該蓋材の第一印刷層と第二印刷層は目視可能な状態となっており、蓋材はその固着状態を解除して開口部を開封した時に蓋材の第一印刷層と剥離層との界面で分離し、蓋を再封した時には第一印刷層と第二印刷層の位置的なずれが視認できることを特徴とした改ざん防止機能を有する再封性包装体。
【請求項２】
ガスバリヤー性を有する収納包装体本体の一部に開口部を設け、少なくても開口部の周縁の表面に自己接着性の感熱接着層を設け、開口部を覆う様に蓋材を設け、蓋材は第二印刷層を有する基材に自己接着性の感熱接着層が設けられ、前記蓋材の自己接着性の感熱接着層の特定の部分に剥離層と第一印刷層とシール層が順次設けられ、収納包装体本体にシール剤層または自己接着性の感熱接着層間で固定されており、第二印刷層の無い部分を通し第一印刷層の少なくても一部が目視でき、蓋材を収納包装体本体より剥離すると第一印刷層が収納包装体本体に残り、再封すると第二印刷層と第一印刷層の位置的なずれが視認できることを特徴とした改ざん防止機能を有する再封性包装体。
【発明の詳細な説明】
【０００１】
【発明の属する技術分野】
本発明は、薬剤や化粧料の家庭用製品等を収納し数回にかけて開封・密封が繰り返えされる包装体に関し、特に、シート状繊維素材（例えばガーゼ、不織布、紙、織布、コットン等）にアルコールや保湿剤、界面活性剤等の清浄剤を含浸させたり、粉末を塗布させた物品を収納する包装体の蓋材を繰り返し開封、密封する包装体の開口部に初回開封の履歴を分からしめる改ざん防止機能を有する再封性包装体に関する。
【０００２】
【従来の技術】
最近、アルコールや保湿剤等の化粧料あるいは薬剤の液体等をシート状繊維素材に含浸させた使い捨てウエットティッシュが皮膚の汚れを拭き取るのに家庭用商品として広く多用されている。
【０００３】
ウエットティッシュ等の収納包装体には従来合成樹脂をブロー成形した合成樹脂ボトルあるいは熱可塑性樹脂シートを圧空成形あるいは真空成形した容器にウエットティッシュを収納したものが家庭用として用いられている。また、携帯用として柔軟なプラスチックシートから液漏れ防止を考慮した封入袋や小型のプラスチック容器にウエットティッシュを収納したものが多く使用されている。
【０００４】
また、ブロー成形した合成樹脂ボトルあるいは圧空成形や真空成形された容器、またはプラスチックシートを袋状に製袋加工を施してた封入袋等に収納されたウエットティッシュ等は数回にかけて繰り返して使用する為にアルコールあるいは保湿剤が蒸発しないように収納物を取り出し使用した後に、必ず取り出し口部が再密閉される。
【０００５】
ブロー成形した合成樹脂ボトルに収納されたウエットティッシュ等はアルミニウム層に熱可塑性樹脂層を有する積層シートで取り出し口部を加熱加圧により接着シールされ、さらに接着シールされたアルミニウム層に熱可塑性樹脂層を有する積層シートを覆うプラスチック製のキャップが施されている。また、ブロー成形した合成樹脂ボトルに収納されたウエットティッシュ等を使用するときには取り出し口部のプラスチック製のキャップを外し、さらに取り出し口部の上面に接着シールされているアルミニウム層に熱可塑性樹脂層を有する積層シートを取り剥がした後、取り出し口部から収納物であるウエットティッシュ等が取り出される。また、初回開封された後は、取り出し口部にプラスチック製のキャップを付けただけで繰り返し使用される。
【０００６】
また、圧空成形あるいは真空成形された容器においては、容器の所定個所に取り出し口部の孔が形成され、その孔を積層シートからなる粘着性シールの蓋材で取り出し口部の孔が覆われ密封シールされる。また、圧空成形あるいは真空成形された容器の収納物であるウエットティッシュ等を使用するときには、取り出し口部の積層シートからなる粘着性シール蓋材の一部を剥がして取り出し口部からウエットティッシュ等が取り出される。さらに、ウエットティッシュ等を取り出して使用した後に、容器の取り出し口部が再び粘着性シール蓋材で密封シールされ繰り返し使用される。
【０００７】
また、圧空成形あるいは真空成形した容器の取り出し口部が粘着性シールの蓋材を用いずに熱可塑性樹脂層を有する積層シートによる蓋材で取り出し口部を加熱加圧により接着シールされ、その外側をプラスチック製の成形蓋で覆ったウエットティッシュ等の収納物容器も用いられている。このような取り出し口部が熱可塑性樹脂層を有する積層シートで加熱加圧により接着シールされ、ウエットティッシュ等の収納物が収納されている容器を使用するときには、接着シールされている積層シートの蓋材の外側に覆われているプラスチック製の成形蓋を外した後に、接着シールされている積層シートの蓋材を取り剥がしてウエットティッシュ等の収納物が取り出し口部から取り出される。また、使用後は圧空成形あるいは真空成形した容器の取り出し口部の接着シールされていた蓋材の外側に覆われているプラスチック製の成形蓋で覆い、再開封は成形蓋の開封、密封により繰り返し使用される。
【０００８】
次に、ウエットティッシュ等の収納物が収納されている封入袋においては封入袋の１部に取り出し用の孔を施し、その孔を積層シートからなる粘着性の蓋材で密封シールされる。また、封入袋のウエットティッシュ等の収納物を取り出す時には取り出し口部を覆っている積層シートからなる粘着性シールの蓋材を収納物が取り出される所定の大きさまで剥がし、ウエットティッシュ等の収納物を取り出す。また、封入袋のウエットティッシュ等の収納物を取り出した後に再び取り出し口部が粘着性の蓋材で密封シールされ、繰り返し使用される。（例えば、特許文献１参照。）
【０００９】
また、封入袋において、封入袋の一辺にチャックを設け、チャックの部分からウエットティッシュ等の収納物を取り出す封入袋も用いられている。また、チャック付き封入袋のウエットティッシュ等の収納物を取り出す時にはチャックを開けてウエットティッシュ等の収納物を取り出し、取り出し使用後にチャックを閉じることで、繰り返し使用される。
【００１０】
上記のようにないろいろな問題がある中で取り出し口部を密封する粘着シール蓋材の接着強度が低下する問題を防止し、解消する為に高濃度のアルコールに対して耐性を有する高濃度アルコール耐性粘着剤及び粘着シートがある。
【００１１】
さらに、容器あるいは封入袋の取り出し口部から収納物等を取り出す時に、収納物等が取り出し口部孔周縁に塗工あるいは塗布した粘着剤等に付着するのを防止させるためにティッシュ等の収納体内部から接着基板をあてがって、接着基板に接着剤を塗布する方法で抜本的に解決ができると記載されている。（例えば、特許文献１参照。）
【００１２】
上記はウエットティッシュ等の収納包装体の取り出し口部において、収納包装体本体の上部に開けた取り出し口部に対し、収納包装体の内部から接着基板をあてがう。その接着基板は、畳まれて収納されているウエットティッシュの大きさと同じか、若干大きいものが望ましく、材料は液体不透過性を持つものであれば、合成樹脂、紙、金属箔等、およびその複合体のいずれでもよく、これをウエットティッシュ吸液に影響されない接着剤で収納包装体の上部裏面に接着する。そして、接着基板に収納包装体の取り出し口部より小さいウエットティッシュ取り出し用の穴をあけ、それより大きい収納包装体の取り出し口部からはみ出す接着基板部分に再開封可能な接着剤を塗布して、取り出し口部を覆う蓋を再開封可能にすることが記載されている。（例えば、特許文献１参照。）
【００１３】
また、天然ゴムに液状イソプレンゴム、粘着付与樹脂、エチレンイミン等を含有させ高濃度アルコール耐性粘着剤を使用した再開封可能な粘着シート等に付いても知られている。
【００１４】
【特許文献１】
特開平８−５３１４０号公報
【００１５】
【発明が解決しようとする課題】
このようなアルコールや保湿剤、界面活性剤等の清浄体が含浸されているウエットティッシュ等の収納物は、アルコール等が蒸発することにより粘着性シール部材表面がおかされたり、また変質して糸引きが発生したり、あるいは粘着剤の接着力が低下する。このことにより、アルコールや保湿剤等の液が外部にしみ出ることになり容器と蓋材との間の密封性も低下する。
【００１６】
さらに、取り出し口部の蓋材が繰り返し開封したり、密封したりすることが容易な機能を有している為に、店頭で開封するなどの悪戯や、あるいは近年大きな問題となっている異物や薬物を挿入あるいは注入されても、蓋材が開封する前と全く変わることなく密封出来る為に、悪戯や薬物の挿入あるいは注入を疑い、確認する事が非常に困難である。
【００１７】
さらに、ウエットティッシュ等の収納物に含浸あるいは塗布されている化粧料あるいは薬剤等は使用される用途等によりアルコール以外の種々の溶液等が使用される為に、アルコール耐性のある粘着剤を使用しても収納物に含浸している清浄液によって粘着材表面がおかされたり、あるいは接着力が低下することもある。
【００１８】
この為に、圧空成形や真空成形した容器あるいは封入袋の取り出し口部の孔を粘着剤が用いられている蓋材で密封シールせずに容器あるいは封入袋の取り出し口孔周縁に再開封可能な粘着剤を塗工あるいは塗布する事により、蓋材の粘着剤がおかされたり、接着力の低下が防止される収納包装体が使用されている。しかし、容器あるいは封入袋の取り出し口部の孔周縁に粘着剤を塗工あるいは塗布する事によりウエットティッシュ等の収納物を取り出すときに塗工あるいは塗布した粘着剤にウエットティッシュ等の収納物が付着し一枚ずつ円滑にウエットティッシュ等の収納物を取り出す事が出来ないと言う問題があり、蓋材に粘着剤を塗工あるいは塗布することも実施されているが、同様の問題が生じ、解決されていない。
【００１９】
そこで、蓋材に接着剤を塗布せず再封止・再開封可能なウエットティッシュ収納包装はウエットティッシュ等の包装収納体内部から接着基板をあてがって、接着基板に接着剤を塗布する方法で抜本的に解決し、再封止・再開封可能なウエットティッシュ等の包装収納体とされている。（特許文献１参照）
しかし、収納包装体の上部裏側面部分に施されている接着基板の開口部周縁に接着剤が塗布されているために、塗布されている部分が収納包装体の包装材料の厚さだけ窪んでいることにより、蓋材との密着性が悪く、且つ密封作業がし難いと言う問題がある。
【００２０】
さらに、上記に記載されている収納包装体は製造工程が複雑となるだけでなく接着基板等も必要となり包装体のコストが高くなると言う問題もある。
【００２１】
また、携帯用として多用されている、封入袋にチャックを設けたウエットティッシュ等の収納物を収納する収納包装体は密封性が悪くアルコールあるいは保湿剤等の清浄液が蒸発し易い。
【００２２】
また、封入袋にチャックを付ける為に専用の製袋機等を使用するかあるいは収納物を収納するインライン上にチャック部材を取付けるための装置等が必要となることから非常にコストが高くなる。
【００２３】
本発明は上記した従来の問題点を鑑みてなされたものであり、特に繰り返し開封・密封する機能を悪用する悪戯や薬物や異物の注入あるいは混入等を防止する為の初回開封機能を有し、また取り出し口部を密封する蓋材が加熱加圧によりウエットティッシュ等の収納物に悪影響をおよぼす事がないように、熱を使用せずに加圧で密封され、且つ繰り返し使用する為の開封・密封が容易で、ウエットティッシュ等の収納物の品質維持が出来る改ざん防止再開封用包装体を提供することを目的とする。
【００２４】
【課題を解決するための手段】
本発明は上記の課題を解決するために成されたもので、本発明の請求項１に係る発明は、ガスバリヤー性を有する収納包装体本体の上部に開けた開口部の開口部周縁に自己接着性の感圧接着層が施され、開口部上にはそれを覆う蓋材が該感圧接着層で固着されている改ざん防止機能を有する再封性包装体であって、該蓋材は基材の一方の面には第一接着層と剥離層と第一印刷層と該開口部周縁の感圧接着層と接着する第二接着層とが少なくても積層されており、他方の面には該第一印刷層と対向する位置に第二印刷層とが少なくとも設けてあると共に、該蓋材の第一印刷層と第二印刷層は目視可能な状態となっており、蓋材はその固着状態を解除して開口部を開封した時に蓋材の第一印刷層と剥離層との界面で分離し、蓋を再封した時には第一印刷層と第二印刷層の位置的なずれが視認できることを特徴とした改ざん防止機能を有する再封性包装体である。
【００２５】
次に、本発明の請求項２に係る発明は、ガスバリヤー性を有する収納包装体本体の一部に開口部を設け、少なくても開口部の周縁の表面に自己接着性の感熱接着層を設け、開口部を覆う様に蓋材を設け、蓋材は第二印刷層を有する基材に自己接着性の感熱接着層が設けられ、前記蓋材の自己接着性の感熱接着層の特定の部分に剥離層と第一印刷層とシール層が順次設けられ、収納包装体本体にシール剤層または自己接着性の感熱接着層間で固定されており、第二印刷層の無い部分を通し第一印刷層の少なくても一部が目視でき、蓋材を収納包装体本体より剥離すると第一印刷層が収納包装体本体に残り、再封すると第二印刷層と第一印刷層の位置的なずれが視認できることを特徴とした改ざん防止機能を有する再封性包装体である。
【００２６】
【発明の実施の形態】
本発明の改ざん防止機能を有する再封性包装体を実施の形態に沿って以下に図面を参照しながら詳細に説明する。図１〜図４は本発明の一実施例を示す。図１（ａ）は本発明に係る改ざん防止機能を有する再封性包装体の一実施例を示す斜視図、  （ｂ）は図１（ａ）  のＡ−Ａ′線における断面を示す断面図、図２は本発明に係る一実施例の改ざん防止機能を有する再封性蓋材の断面を示す断面図、図３は本発明に係る一実施例の改ざん防止機能を有する再封性包装体の収納物取り出し開口部の断面を示す断面図、図４は本発明に係る一実施例の改ざん防止機能を有する再封性包装体の収納物取り出し開口部の改ざん防止機能を有する再封性蓋材が開封される時の断面を示す断面図である。
【００２７】
図１（ａ、ｂ）に示す本発明による一実施例の改ざん防止機能を有する再封性包装体（１）はウエットティッシュ等の収納物（３）が再封性包装体本体に使用されている積層シート（２３）で封筒貼りあるいは合掌貼りピロー包装体かガセット付きピロー包装体に包装されている。
【００２８】
また、図１（ａ〜ｂ）に示すように再封性包装体本体の上部にはウエットティッシュ等の収納物（３）を取り出す開口部（２２）が形成され、裏側面が封筒貼りあるいは合掌貼りシールが施され、さらに図１（ａ）に示すように封筒貼りあるいは合掌貼りシールに直角に天地が加熱加圧により接着シールされたシール部（５）が形成されている。
【００２９】
また、図１（ａ〜ｂ）に示すようなウエットティッシュ等の収納物（３）を取り出す開口部（２２）はウエットティッシュ等の収納物（３）を包装する前に改ざん防止機能を有する再封性包装体本体に使用されている積層シート（２３）の所定位置に収納物を取り出す開口部（２２）の形状に打ち抜き加工が施される。さらに、改ざん防止機能を有する再封性包装体本体に使用されている積層シート（２３）の開口部（２２）は所定の形状に形成された改ざん防止機能を有する再封性蓋材（２）で加圧あるいは加熱加圧によって改ざん防止機能を有する再封性蓋材（２）が接着シールされる。
【００３０】
改ざん防止機能を有する再封性包装体に使用されている積層シート（２３）の開口部（２２）の形状に形成される打ち抜き加工は雄型と雌型の打ち抜き金型により打ち抜かれるか、あるいは押し切り刃により所定の形状に形成される。または、図には示さないが、破線状に刃を入れ開口部（２２）の積層シート（２３）を残し、開封時に再封性蓋材（２）に取られるようにしても良い。
【００３１】
また、図１（ａ〜ｂ）に示すように改ざん防止機能を有する再封性蓋材（２）も改ざん防止機能を有する再封性包装体本体に使用されている積層シート（２３）の開口部（２２）と同様に開口部（２２）を覆い密封する為に所定の形状に形成される。
【００３２】
改ざん防止機能を有する再封性蓋材（２）は改ざん防止機能を有する再封性包装体に使用されている積層シート（２３）の開口部（２２）と同様に雄型と雌型の打ち抜き金型により打ち抜くか、あるいは押し切り刃により所定の形状に打ち抜かれ、積層シート（２３）の開口部（２２）に加圧あるいは加熱加圧により接着シールされる。
【００３３】
次に、図３は本発明の一実施例である改ざん防止機能を有する再封性包装体本体に使用されている積層シート（２３）の開口部（２２）付近の断面を示し、積層シート（２３）は少なくても内側面にシーラント層（２１）と外側面が印刷基材層（１６）を形成し、さらに内側面と外側面との中間層にガスバリヤー層（１９）が形成されている。また、開口部（２２）の外層面には自己接着性の感圧接着層（１５）が設けられている。
【００３４】
図３に示す改ざん防止機能を有する再封性包装体本体に使用されている積層シート（２３）のシーラント層（２１）の樹脂として低密度ポリエチレン、直鎖状ポリエチレン、中密度ポリエチレン、高密度ポリエチレン、ポリプロピレン、エチレン・プロピレン共重合体、エチレン・メチルメタアクリレート共重合体、アイオノマー等が使用される。
【００３５】
また、図３に示す改ざん防止機能を有する再封性包装体本体に使用されている積層シート（２３）のシーラント層（２１）として本発明の一実施例としてポリプロピレンの３０μｍが用いられている。
【００３６】
また、図３に示す改ざん防止機能を有する再封性包装体本体に使用されている積層シート（２３）の中間に形成されているガスバリヤー層（１９）としてはバリヤー樹脂フイルム、蒸着フイルム、金属箔等のバリヤー材料が用いられる。
【００３７】
ガスバリヤー層（１９）のバリヤー樹脂フイルムとしてはビニルアルコール系樹脂フイルムのポリビニルアルコールフイルム（ＰＶＡ）、エチレン・ビニルアルコール共重合体フイルム（ＥＶＯＨ）とポリ塩化ビニリデン系樹脂フイルム（ＰＶＤＣ）でポリ塩化ビニリデン（ＰＶＤＣ）樹脂の押出しフイルムあるいは各種プラスチックフイルムにポリ塩化ビニリデンコーティングしたＫコートフイルム等が用いられる。
【００３８】
また、ガスバリヤー層（１９）の蒸着フイルムとしてはアルミニウム蒸着フイルムが多用されているがアルミニウム蒸着フイルムの代わりに酸化珪素、酸化アルミニウムや、チタン、ジルコニウム、錫などの酸化物、窒化物、弗化物などの無機化合物の単体、あるいはそれらの複合物を蒸着した蒸着フイルムが用いられる。
【００３９】
また、蒸着フイルムの蒸着基材であるプラスチックフイルムはポリエチレンテレフタレートフイルムが蒸着層を安定して積層できる長所があることにより多用されている。また、ポリエチレンテレフタレートフイルム以外にポリアミドフイルムあるいはポリプロピレンフイルム等も用いることが出来る。
【００４０】
また、蒸着層とプラスチックフイルムの接着強度を向上させる手段として蒸着面をコロナ放電処理、プラズマ処理、アンカーコート等の処理を施すことが望ましい。
【００４１】
また、ガスバリヤー材として使用される金属箔ではアルミニウム箔が広く多用されている。また、アルミニウム箔は硬質箔と軟質箔があるが一般的には加熱焼鈍された軟質箔が使用される。
【００４２】
包装材料としてのアルミニウム箔は水蒸気、ガス、紫外線、細菌などに対する優れた遮断性を有すると同時に、その金属光沢による装飾性を生かして、食品、医薬品等の包装に広く使用されている。
【００４３】
本発明の一実施例の図３に示す改ざん防止機能を有する再封性包装体本体に使用されている積層シート（２３）のバリヤー層として、アルミニウム箔の６μｍ〜１５μｍ程度が使用される。
【００４４】
また、図３に示す改ざん防止機能を有する再封性包装体本体に使用されている積層シート（２３）の外側面の印刷基材層（１６）は内側面に印刷層（９）が形成されるためにポリエチレンテレフタレートフイルムあるいはポリアミドフイルム等の印刷適性の良いプラスチック樹脂フイルムが使用される。
【００４５】
また、図３に示すように改ざん防止機能を有する再封性包装体本体に使用されている積層シート（２３）の印刷基材層（１６）に印刷加工が施された後、シーラント樹脂層（２１）とガスバリア層（１９）及び印刷基材層（１６）がラミネート加工により、改ざん防止機能を有する再封性包装体本体に使用されている積層シート（２３）は印刷基材層（１６）、印刷層（１７）、接着層（１８）、ガスバリア層（１９）、接着層（２０）、シーラント樹脂層（２１）が形成される。
【００４６】
ラミネート加工には押出しラミネート、サンドイッチラミネート、貼合せラミネート、ドライラミネート、無溶剤ラミネート、サーマルラミネート、ウエットラミネート、等があるが本発明の一実施例の改ざん防止機能を有する再封性包装体本体に使用されている積層シート（２３）はドライラミネートにより貼り合わせ加工が施されている。
【００４７】
改ざん防止機能を有する再封性包装体本体に使用されている積層シート（２３）の三層がドライラミネートにより貼り合わされた後に、印刷基材層（１６）の外側面の所定個所に熱を使用せずに接着させる為の感圧接着剤が塗工され感圧接着層（１５）が形成される。
【００４８】
また、感圧接着剤にはとくに限定はなく、例えば溶剤型、エマルジョン型あるいは無溶剤型（オリゴマー型、ホットメルト型）のアクリル酸エステル共重合体系粘着剤、天然ゴムや合成ゴムに粘着付与樹脂を配合してえられる溶剤型あるいはホットメルト型粘着剤、カレンダー塗工粘着剤、シリコン系粘着剤、ポリエーテルやジエン系のオリゴマに粘着付与樹脂を配合してえられる液状硬化型の粘着剤、その他の粘着剤が使用される。また、比較的高い接着力を有する感圧接着層をうる方法がいくつか知られている。たとえば比較的高い接着力の感圧接着層をうる方法として感圧接着層を厚くする方法が知られているが、感圧接着層を形成するのに溶剤型やエマルジョン型の粘着剤を用いて感圧接着層を形成する限り厚さに限界があるので、接着力についても限界がある。
【００４９】
上記のように感圧接着層（１５）は感圧接着層（１５）同士でなければ粘着されないことにより、感圧接着層（１５）の一方面の表面だけでは粘着性がないことにより、ウエットティッシュ等の収納物（３）を改ざん防止機能を有する再封性包装体本体に使用されている積層シート（２３）の開口部（２２）から取り出すときに、開口部（２２）の上面周縁に形成されている感圧接着層（１５）に接着することがなく、一枚ずつウエットティッシュ等の収納物をスムーズに取り出すことが出来る。
【００５０】
次に、図２は改ざん防止機能を有する再封性包装体本体に使用されている積層シート（２３）の開口部（２２）の孔を密封し、一度解除したことを分からしめ、且つ繰り返し再開封・密封する改ざん防止機能を有する再封性蓋材（２）の構成を示す。
【００５１】
図２に示すように本発明の改ざん防止機能を有する再封性包装体（１）の一実施例である改ざん防止機能を有する再封性蓋材（２）は外側面のガスバリア樹脂層（６）、透明な蒸着層（７）が形成され、更に接着層（８）、第二印刷層（９）、印刷基材層（１０）、感圧接着層（１１）、剥離層（１３）、さらに第二印刷層と対向する位置に第一印刷層（１２）、さらに接着層（１４）が形成されている。
【００５２】
ガスバリア層（６）はポリビニルアルコールフイルム（ＰＶＡ）、エチレン・ビニルアルコール共重合体フイルム（ＥＶＯＨ）あるいはポリ塩化ビニリデン（ＰＶＤＣ）樹脂の押出しフイルムまたは各種プラスチックフイルムにポリ塩化ビニリデンコーティングしたＫコートフイルムあるいはポリエチレンテレフタレートフイルムあるいはポリアミドフイルム等に無機化合物等を蒸着した蒸着フイルムが用いられる。
【００５３】
また、図２に示す本発明の改ざん防止機能を有する再封性包装体（１）の一実施例である改ざん防止機能を有する再封性蓋材（２）のガスバリア層（６）はポリエチレンテレフタレートフイルムの１２ミクロンに無機化合物を蒸着した蒸着フイルムが用いられている。
【００５４】
ガスバリア層（６）としてポリエチレンテレフタレートフイルムあるいはポリアミドフイルム等に蒸着される無機化合物蒸着層（８）は、１００Å〜２０００Åの範囲の膜厚が形成される。
【００５５】
また、ガスバリア層（６）に蒸着される蒸着層（７）は改ざん防止機能を有する再封性蓋材（２）が改ざん防止機能を有する再封性包装体本体に使用されている積層シート（２３）の開口部（２２）の孔を密封し、一度解除したことを分からしめるための第一印刷層と第二印刷層に施されている文字あるいは絵柄等相対位置が目視できるために、無機化合物による蒸着層（７）が施される。また無機化合物による蒸着層（７）は珪素、アルミニウム、チタン、ジルコニウム、錫などの酸化物、窒化物、弗化物の単体、あるいはそれぞれの複合物から形成されている。
【００５６】
また、無機化合物による蒸着層（７）は、真空蒸着法、スパッタリング法、プラズマ気相成長法（ＣＶＤ法）などの真空プロセスにより施される。
【００５７】
本発明の改ざん防止機能を有する再封性包装体本体の一実施例である改ざん防止機能を有する再封性蓋材（２）のガスバリア樹脂はポリエチレンテレフタレートフイルムが使用され、ポリエチレンテレフタレートフイルム上に形成される無機化合物による蒸着層（７）の膜厚は１００Å〜２０００Åの範囲で施される。
【００５８】
また、図２に示す一実施例の改ざん防止機能を有する再封性蓋材（２）の印刷基材層（１０）は表側面の所定位置に第二印刷層（９）が形成され、さらに、裏側面の所定個所に所定形状に感圧接着層（１１）が塗工され、さらに感圧接着層（１１）の上側面に所定形状の剥離ニス（１３）が塗工され、さらに表側面の印刷（９）と重なり合うライン状の印刷を施した第一印刷層（１２）が形成され、さらに印刷面上に接着層（１４）が施される。
【００５９】
図２に示す一実施例の改ざん防止機能を有する再封性蓋材（２）の基材層（１０）は上記のように基材層（１０）の表側面に第二印刷層（９）が施され、さらに裏側面に感圧接着層（１１）、剥離層（１３）、第一印刷層（１２）、接着層（１４）、等が形成された後に、ポリエチレンテレフタレート等のガスバリア樹脂フイルムと貼り合わされる。
【００６０】
剥離層（１３）に施される剥離ニスは通常のウレタン系樹脂や硝化綿、ポリアミド樹脂等を主成分とするニスの中に、接着性をコントロールする脂肪酸ポリアミド系、エステル系、パラフィンワックス、ポリオレフィンワックス、多価アルコール等の接着コントロール物質が主成分樹脂１００部に対し０．５〜１０部程度添加されている。
【００６１】
また、剥離層（１３）の剥離ニスは塗布量が０．５〜５ｇ／ｍ２  程度塗工される。
【００６２】
また、接着層（１８）に使用される接着ニスは一般に使用されているポリオレフィン樹脂、エチレンビニルアルコール樹脂、エチレンー酢酸ビニル樹脂、ポリエステル樹脂、塩素化ポリプロピレン樹脂等を主成分とする公知の接着ニスを用いて形成されている。
【００６３】
さらに、第二印刷層（９）および第一印刷層（１２）のインキも広く使用されているウレタン系、アクリル系、ビニル系、ゴム系樹脂等を含む公知のインキを用いることができる。
【００６４】
また、改ざん防止機能を有する再封性蓋材（２）の印刷基材層（１０）とガスバリア層（６）との貼り合わせは押出しラミネート方法あるいはドライラミネート方法、またはノンソルベントラミネート方法のいずれの方法でも貼り合わすことが出来る。
【００６５】
図２に示す改ざん防止機能を有する再封性蓋材（２）の一実施例としてドライラミネート方法により印刷基材層（１０）とガスバリア層（６）が接着剤層（８）で貼り合わされている。接着剤層（８）は２液硬化ウレタン系のドライラミネート用接着剤を用いて印刷基材層（１０）の表側面かあるいはガスバリア層（６）の裏側面に接着剤を塗工して貼り合わされる。
【００６６】
また、改ざん防止機能を有する再封性包装体本体に使用されている積層シート（２３）の開口部（２２）を密封していた改ざん防止機能を有する再封性蓋材（２）を一度解除（開封）することにより、図２に示す改ざん防止機能を有する再封性蓋材（２）の剥離層（１３）と感圧接着層（１１）の間で層間剥離により図４に示すように改ざん防止機能を有する再封性包装体本体に使用されている積層シート（２３）の開口部（２２）上面の周縁に形成されている感圧接着層（１５）上に接着層（１４）と第一印刷層（１２）および剥離層（１３）が形成される。
【００６７】
改ざん防止機能を有する再封性包装体本体に使用されている積層シート（２３）の開口部（２２）上面の周縁に形成されている感圧接着層（１５）上に接着層（１４）と第一印刷層（１２）および剥離層（１３）が形成されことにより、一度解除（開封）した改ざん防止機能を有する再封性蓋材（２）を再封すると、改ざん防止機能を有する再封性蓋材（２）の印刷基材層（１０）の表側面に形成されている第二印刷層（９）と改ざん防止機能を有する再封性包装体本体に使用されている積層シート（２３）の開口部（２２）上面の周縁に転移された第一印刷層（１２）がずれるためにモアレが生じたりあるいは絵柄がずれたり、太ったりすることにより改ざん防止機能を有する再封性蓋材（２）を一度解除（開封）したことが改ざん防止機能を有する再封性蓋材（２）の表側面から容易に判断することが出来る。
【００６８】
また、改ざん防止機能を有する再封性包装体本体に使用されている積層シート（２３）の開口部（２２）上面の周縁に形成されている感圧接着層（１５）は感圧接着層（１１、１５）同士が接合することにより粘着する接着剤であり、開口部（２２）上面の周縁に形成されている感圧接着層（１５）だけでは粘着性がない為に開口部（２２）からウエットティッシュ等の収納物を取り出す時にウエットティッシュ等の収納物が感圧接着層（１５）に接触しても接着することがなく、一枚ずつスムーズに取り出すことが出来る。また、改ざん防止機能を有する再封性蓋材（２）により開口部（２２）を繰り返し開封・密封することも出来る。
【００６９】
【発明の効果】
本発明の改ざん防止機能を有する再封性包装体は以上の構成からなるもので、改ざん防止機能を有する再封性蓋材の印刷基材層の表側面上に第二印刷層を形成し、印刷基材層の裏側面に感圧接着層と剥離層を形成した上面に第二印刷層と対向する位置に第一印刷層を形成し、さらに第一印刷層上面に接着層を形成した再封性蓋材で、改ざん防止機能を有する再封性包装体の開口部上面の周縁に形成されている感圧接着層と密封することで、店頭で収納物の香いを嗅ぐ為に蓋材を開封したり、あるいは収納物の一部を取り出したり、または異物や薬物を混入するなどなどの悪質な悪戯や犯罪を消費時点で容易に識別が出来る。
【００７０】
また、改ざん防止機能を有する再封性包装体の開口部で収納物等を取り出す時に、接着剤に収納物が接着するために開口部に接着防止用部材を設けたりすることが無く、改ざん防止機能を有する再封性包装体に使用されている積層シートや蓋材はすべて従来の印刷機或いは貼り合わせ機により容易に生産することが出来る。また接着防止用部材等を作製することが無いために製造工程を複雑化することもなく、且つ余分な部材が不要であるために材料コスト等も安価にできる。
【００７１】
また、改ざん防止機能を有する再封性包装体の上面周縁に形成されている再開封可能な感圧接着剤は粘着性がないことによりウエットティッシュ等の収納物を開口部から取り出す時に、従来のように開口部周縁に形成されている接着剤について一枚ずつスムーズに取り出すことが出来なかった問題も解消される。
【図面の簡単な説明】
【図１】（ａ）は本発明の改ざん防止機能を有する再封性包装体に係る一実施例を示す斜視図、（ｂ）は図１（ａ）のＡ−Ａ′線における断面を示す断面図である。
【図２】（ａ）は本発明の改ざん防止機能を有する再封性包装体に係る一実施例で改ざん防止機能を有する再封性包装体の開口部を密封する改ざん防止機能を有する再封性蓋材構成を示す断面図である。
【図３】は本発明の改ざん防止機能を有する再封性包装体に係る一実施例の改ざん防止機能を有する再封性包装体に使用されている積層シート断面の一部の構成を示す断面図である。
【図４】（ａ）は本発明の改ざん防止機能を有する再封性包装体に係る一実施例で改ざん防止機能を有する再封性包装体の改ざん防止機能を有する再封性蓋材が解除（開封）された開口部の構成断面を示す断面図である。
【符号の説明】
１…改ざん防止機能を有する再封性包装体
２…改ざん防止機能を有する再封性蓋材
３…収納物
５…シール部
６…ガスバリア層
７…蒸着層
８…接着剤層
９…第二印刷層
１０…印刷基材層
１１…感圧接着層
１２…第一印刷層
１３…剥離層
１４…接着層
１５…感圧接着層
１６…印刷基材層
１７…印刷層
１８…接着剤層
１９…ガスバリア層
２０…接着剤層
２１…シーラント層
２２…開口部
２３…改ざん防止機能を有する再封性包装体に使用されている積層シート
【図１】
2004175396.tif 000003
【図２】
2004175396.tif 000004
【図３】
2004175396.tif 000005
【図４】
2004175396.tif 000006